(57)【要約】【課題】  揚水が完了して放水コックを開き放水を行う時に、放水口自動逆止弁から放水コックにいたる放水側に真空ポンプの吸引作用で完全に排気されなかった残留空気、及び揚水と一緒に侵入した残留空気までも悉く除去し、これにより最初の放水時に残留空気が混ざることなく、安定したより確実な放水を可能とした消防用ポンプとする。【解決手段】  ポンプ本体１の真空ポンプ３と吸水側が止水弁又は逆止弁１３を有する吸水側吸引管１０で連通されると共に、真空ポンプ３と放水口自動逆止弁７から放水コック８にいたる放水側とが放水側吸引管２２で連通している消防用ポンプにおいて、放水側吸引管２２ｂに止水用電動バルブ２８を設ける。止水用電動バルブ２８の下流側で放水側吸引管２２ａに排気用チャッキバルブ２６を介して排気管２７を設ける。止水用電動バルブ２８は制御手段により真空ポンプ３の停止後に遅延して閉鎖する。【選択図】  図１
2006158625.tif 000002
【特許請求の範囲】
【請求項１】
ポンプ本体の真空ポンプと吸水側が止水弁又は逆止弁を有する吸水側吸引管で連通されると共に、前記真空ポンプと放水口自動逆止弁から放水コックにいたる放水側とが放水側吸引管で連通している消防用ポンプにおいて、放水側吸引管に止水用電動バルブが設けられると共に、この止水用電動バルブの下流側で放水側吸引管に排気用チャッキバルブを介して排気管が設けられ、前記止水用電動バルブは制御手段により真空ポンプの停止後に、遅延して閉鎖することを特徴とする消防用ポンプ。
【請求項２】
制御手段はタイマーであることを特徴とする請求項１記載の消防用ポンプ。
【発明の詳細な説明】
【技術分野】
【０００１】
本発明は、河川、防火水槽等から吸水する消防ポンプ自動車等に使用される消防用ポンプに関するものである。
【背景技術】
【０００２】
従来、消防用ポンプは、ポンプ本体の真空ポンプが吸水導管側にのみ吸引管で連通され、この吸引管の途中にフロースイッチ、逆止弁、止水弁が設けられ、吸水には消防ポンプ自動車に装備された真空ポンプにより、主ポンプ及び吸水導管内の空気を排出することにより行っているのが一般的であった。
【０００３】
この場合、放水口自動逆止弁が主ポンプと放水口自動逆止弁側との境界を閉塞し、主ポンプ及び吸水導管内は真空となり吸水が行われる。
一方、この放水口自動逆止弁の作用により、放水口自動逆止弁から放水コックにいたる放水導管内の空気は排除されないので残留した状態となる。
このため、ホースの延長が完了し放水コックを開き放水を行った時、この排出されなかった残留空気が主ポンプに逆流し、場合によっては落水にいたり放水不能となり、消火活動に遅れを生じることがある。
又、例え放水されても、最初の放水は残留空気と水が混じり、放水が不安定となる問題点を有していた。
【０００４】
そこで、この問題点を解決するために、本出願人はポンプ本体の真空ポンプと吸水側及び真空ポンプと放水口自動逆止弁から放水コックにいたる放水側の双方を吸引管で連通し、この構成により吸水導管から放水導管にいたる残留空気を排出し、真空状態すれば水は主ポンプを介して放水コックまで充満されるから、放水始めで放水が不安定となることもなく、確実な放水を可能とした消防用ポンプを発明し、特許第３５８６３９２号として既に登録されている。
【特許文献１】特許第３５８６３９２号
【発明の開示】
【発明が解決しようとする課題】
【０００５】
本発明は、上記特許発明の消防用ポンプに更に改良を加え、揚水が完了して放水コックを開き放水を行う時に、放水口自動逆止弁から放水コックにいたる放水側に真空ポンプの吸引作用で完全に排気されなかった残留空気、及び揚水と一緒に侵入した残留空気までも悉く除去し、これにより最初の放水時に残留空気が混ざることなく、安定したより確実な放水を可能とした消防用ポンプを提供しようとするものである。
【課題を解決するための手段】
【０００６】
上記課題を解決するため、請求項１記載の本発明消防用ポンプは、ポンプ本体の真空ポンプと吸水側が止水弁又は逆止弁を有する吸水側吸引管で連通されると共に、前記真空ポンプと放水口自動逆止弁から放水コックにいたる放水側とが放水側吸引管で連通している消防用ポンプにおいて、放水側吸引管に止水用電動バルブが設けられると共に、この止水用電動バルブの下流側で放水側吸引管に排気用チャッキバルブを介して排気管が設けられ、前記止水用電動バルブは制御手段により真空ポンプの停止後に、遅延して閉鎖することを特徴とするものである。
【０００７】
このような構成とすることにより、真空ポンプの始動でポンプ本体の吸水側と放水側の双方の配管から残留空気は吸引され、水は放水コックまで充満されるが、この吸引により完全に排気されなかった残留空気及び水と一緒に侵入した空気は真空ポンプの停止により放水側の配管内に残留空気として僅かに残るが、止水用電動バルブが制御手段により真空ポンプの停止後に遅延して閉鎖するため、真空ポンプの停止後も止水用電動バルブが閉鎖されるまでの間は、放水側の配管内の残留空気は放水側吸引管から止水用電動バルブを経て、排気用チャッキバルブにより排気管を通って外部へ自然に排気される。
【０００８】
次に、請求項２記載の本発明消防用ポンプは、請求項１記載の消防用ポンプにおいて、制御手段はタイマーであることを特徴とするものである。
【０００９】
このような構成とすることにより、時間の設定が容易である。
【発明の効果】
【００１０】
請求項１記載の本発明消防用ポンプによれぱ、真空ポンプの吸引作用で完全に排気されなかった残留空気や、揚水が完了して最初の放水を行う時に水と一緒に侵入した空気は真空ポンプの停止により放水側の配管内に残留空気として僅かに残るが、止水用電動バルブが制御手段により真空ポンプの停止後に遅延して閉鎖するため、真空ポンプの停止後も止水用電動バルブが閉鎖されるまでの間は、残留空気は放水側吸引管から止水用電動バルブを経て排気用チャッキバルブにより悉く排気管から外部へ自然に排気されるので、残留空気が全く混ざらない理想的な揚水となる。これにより最初の放水時に安定した確実な放水が可能となる効果を有する。
【００１１】
次に、請求項２記載の本発明消防用ポンプによれば、時間の設定が容易で、確実に作動する効果を有する。
【発明を実施するための最良の形態】
【００１２】
以下、本発明の一実施の形態を添付図面を参照して説明する。
図１は本発明消防用ポンプの一実施の形態を示す断面図である。
【００１３】
図中１はポンプ本体、２はポンプ本体１及びポンプ本体１の真空ポンプ３を駆動するポンプ本体の駆動部である。
ポンプ本体１の主ポンプ部４に吸水側は吸水コック５を設けた吸水導管６が連結し、放水側は主ポンプ部４に放水口自動逆止弁７が連結している。
又、放水側は放水口自動逆止弁７に放水コック８が連結し、この放水口自動逆止弁７から放水コック８にいたり放水導管９を構成している。
【００１４】
吸水側は、真空ポンプ３の吸気口３ａと吸水導管６が吸水側吸引管１０と合流吸引管１１を介して連通され、この吸水側吸引管１０の途中にフロースイッチ１２、逆止弁１３、止水弁１４がそれぞれ設けられている。
【００１５】
前記、放水口自動逆止弁７は弁筐１５の上部に弁１６の横断面が多角形（５角形）の弁棒１７が摺動する円筒状の弁棒摺動用中空部１８を有する蓋体１９が設けられている。又弁棒摺動用中空部１８の頂部に孔２０が穿設されている。
尚、図中２１は弁棒１７の基部に設けた止水用パッキンであり、弁１６の上昇で弁棒摺動用中空部１８の内側口端縁と弁棒１７の外周面との間隙を閉塞する。
【００１６】
これにより、放水口自動逆止弁７から放水コック８にいたる放水導管９の残留空気は、横断面が多角形の弁棒１７の外壁と円筒状の弁棒摺動用中空部１８の内壁との摺動面の間隙を通じて孔２０から排出可能となる。
【００１７】
放水側は、この弁棒摺動用中空部１８の頂部に放水側吸引管２２ａと、放水導管９に放水側吸引管２２ｂの一端が連結されて、この両放水側吸引管２２ａ、２２ｂの他端は三方チーズ２３でそれぞれ放水側連結吸引管２２ｃに連結され、放水側連結吸引管２２ｃは吸水側吸引管１０と合流吸引管１１の接続部に設けた三方チーズ２４に接続し、合流吸引管１１を介して真空ポンプ３の吸気口３ａと連通している。
【００１８】
弁棒摺動用中空部１８の頂部と連結する放水側吸引管２２ａの途中が三方チーズ２５で分岐され、この三方チーズ２５に排気用チャッキバルブ２６を介して外部に開口する排気管２７が接続されている。
【００１９】
放水導管９と連結する放水側吸引管２２ｂの途中に止水用電動バルブ２８が設けられている。この止水用電動バルブ２８は制御手段であるタイマー２９と連絡している。
【００２０】
このタイマー２９は真空ポンプ３の駆動部２と連絡し、真空ポンプ３が停止した時に、駆動部２の検知部３０から信号を送り、タイマー２９が真空ポンプ３の停止後、約２秒以内の範囲で止水用電動バルブ２８に信号を送り、遅延して止水用電動バルブ２８を閉鎖する。
【００２１】
又、放水側連結吸引管２２ｃの途中に電動又は手動による逆止弁３１が設けられている。この逆止弁３１は吸水側逆止弁１３と同時に作動する。
【００２２】
次に、このような構成を有する本発明消防用ポンプの作用を図面に基づき説明する。
真空ポンプ３の始動で吸水側は、真空ポンプ３と吸水側吸引管１０で連通している吸水導管６側からは従来通り、吸水導管６及び主ポンプ４内の空気は吸引され真空となる。この時、弁１６により放水導管９側への水路は閉塞されている。
【００２３】
一方、真空ポンプ３の始動で放水側は、弁棒摺動用中空部１８の頂部と連結している放水側吸引管２２ａと、放水導管９と連結している放水側吸引管２２ｂの両方から効率良く短時間で残留空気は吸引され殆ど真空となる。この時、放水コック８は閉じている。
【００２４】
このように、ポンプ本体１及び吸水コック５、吸水導管６が総て真空状態となり、主ポンプ部４に水は充満し弁１６を押し上げ、放水導管９内を通り放水コック８にいたる。    
【００２５】
吸水側吸引管１０は止水弁１４が流路を閉塞し、放水側の弁棒摺動用中空部１８と連結する放水側連結吸引管２２ａは弁１６が上昇し、止水パッキン２１が流路を閉塞し、放水導管９と連結する放水側吸引管２２ｂ及び放水側連結吸引管２２ｃは逆止弁３１と止水用電動バルブ２８が流路を閉塞し、水が真空ポンプ３内に侵入することは阻止される。
【００２６】
そして、真空ポンプ３が停止すると真空ポンプ３の駆動部２の検知部３０が停止を検知し、制御手段であるタイマー２９に信号を送り、タイマー２９が真空ポンプ３の停止後、約２秒以内の範囲で作動し、止水用電動バルブ２８を閉鎖する。
【００２７】
この真空ポンプ３の停止から止水用電動バルブ２８が閉鎖するまでの間に、放水側の放水導管９内の真空ポンプ３の吸引作用で排気されなかった残留空気及び揚水時に揚水中に含まれる空気は放水側吸引管２２ｂから止水用電動バルブ２８、三方チーズ２３、２５を通り、排気用チャッキバルブ２６により排気管２７から外部へ自然に排気される。これにより、放水側には残留空気が全く存在しなくなる。
【００２８】
以上、本発明の実施形態に基づき具体的に説明したが、本発明は上記実施形態に何ら限定されるものではなく、例えば放水側の吸引は弁棒摺動用中空部１８の頂部を閉鎖し、放水導管９と連結する側の放水側吸引管２２ｂからのみ構成とすることもできる等、本発明の趣旨を逸脱しない範囲内で種々の改良、変形が可能である。
【図面の簡単な説明】
【００２９】
【図１】本発明消防用ポンプの一実施の形態を示す断面図である。
【符号の説明】
【００３０】
１  ポンプ本体
２  駆動部
３  真空ポンプ
３ａ  吸気口
４  主ポンプ
５  吸水コック
６  吸水導管
７  放水口自動逆止弁
８  放水コック
９  放水導管
１０  吸水側吸引管
１１  合流吸引管
１２  フロースイッチ
１３  逆止弁
１４  止水弁
１５  弁筐
１６  弁
１７  弁棒
１８  弁棒摺動用中空部
１９  蓋体
２０  孔
２１  止水用パッキン
２２ａ、２２ｂ  放水側吸引管
２２ｃ  放水側連結吸引管
２３、２４、２５  三方チーズ
２６  排気用チャッキバルブ
２７  排気管
２８  止水用電動バルブ
２９  タイマー
３０  検知部
３１  逆止弁
【図１】
2006158625.tif 000003